(57)【要約】  導光板に形成した爪が液晶パネルの表示品位の低下をもたらさないようにする。液晶表示装置１は、液晶パネル１０、反射板１２、導光板１３、拡散シート１４、第１のレンズシート１５、第２のレンズシート１６などの構成要素をシャーシ１１に取り付けて構成される。導光板１３の一辺には光源ＬＥＤ１９から光を受け入れる光入射部２２が形成される。また導光板１３の周縁にはシャーシ１１に係合する爪２３ａ、２３ｂが形成され、シャーシ１１には爪２３ａ、２３ｂを係合させる凹部２４ａ、２４ｂが形成される。光入射部２２に近い箇所に位置する爪２３ａは、入射光の直射を回避する位置に配置される。
2009118960.tif 000002
【特許請求の範囲】
【請求項１】
一辺に光入射部が形成されているバックライト用の導光板を液晶パネルの背面側に配置する液晶表示装置において、
前記導光板はシャーシに保持されるものであって、周縁数箇所には前記シャーシに係合する爪が形成されており、前記爪の中で前記光入射部に近い箇所に位置するものは、入射光の直射を回避する位置に配置されていることを特徴とする液晶表示装置。
【請求項２】
前記光入射部に近い箇所に位置する爪は、前記液晶パネルを前記シャーシに固定する遮光両面テープに重なる位置に配置されていることを特徴とする請求項１に記載の液晶表示装置。
【発明の詳細な説明】
【技術分野】
【０００１】
本発明は液晶表示装置に関する。
【背景技術】
【０００２】
パーソナルコンピュータや携帯電話などの情報通信機器をはじめ、各種電子機器に広く用いられる液晶表示装置は、自ら発光することはないので、通常の場合、バックライトと組み合わせて用いられる。携帯電話のような小型機器の場合、バックライトとしては、導光板の一端面から光を入れ、導光板の最も広い面である出射面から光を出す構成のものを用いることが多い。光源はＬＥＤが殆どである。このようなバックライトを備えた液晶表示装置の例を特許文献１、２に見ることができる。【０００３】
特許文献１には、白色ＬＥＤからの光を導光する導光板と反射板とを筐体に収納してなる平面発光装置を備えた液晶表示装置が記載されている。【０００４】
特許文献２には、ＬＥＤからの光を側面から入射させる導光板を第１表示パネルと第２表示パネルで挟み、１枚の導光板で２枚の表示パネルを同時に照明する液晶表示装置が記載されている。
【特許文献１】特開２００７−１７８４６３
【特許文献２】特開２００７−１４８０４８
【発明の開示】
【発明が解決しようとする課題】
【０００５】
バックライトを含む液晶表示装置は、枠状のシャーシ（特許文献１では「筐体」、特許文献２では「フレーム」）に部品を組み付ける構成とすることが多い。そのような液晶表示装置の従来構造の一例を図３から図６に示す。【０００６】
液晶表示装置１は、構成要素として次のものを含む。すなわち液晶パネル１０、シャーシ１１、反射板１２、導光板１３、拡散シート１４、第１のレンズシート１５、第２のレンズシート１６、第１の遮光両面テープ１７、第２の遮光両面テープ１８、及びシャーシ１１に装着される２個の光源ＬＥＤ１９（図４参照）である。なお、本明細書において構成要素の上下関係に言及するときは、図３において上になっている側が上、下になっている側が下であるものとする。【０００７】
シャーシ１１は合成樹脂により平面形状矩形の枠形状を成形したものであって、内側に開口部２０、周縁に立ち上がり壁２１を備える。開口部２０の中には導光板１３が保持され、立ち上がり壁２１の中には導光板１３よりも平面形状が一回り大きい液晶パネル１０が保持される。【０００８】
導光板１３は、光源ＬＥＤ１９から出射された光を、一辺に形成された光入射部より取り込み、最も広い面である出射面から出射して液晶パネル１０を背面側から照明するものであって、出射面には光を方向転換させるための処理が施されている。この処理は液晶パネルのバックライト用導光板に通常施されるものであり、詳細な説明は省略する。【０００９】
導光板１３は平面形状が矩形であり、周縁の四辺のうち、一方の短辺に光入射部２２が形成される。光入射部２２は平面形状が台形をなす凸部であり、光源ＬＥＤ１９の数に合わせて２個設けられている。台形の頂部は導光板１３の他方の短辺と平行する短い直線部分となっており、この部分を光源ＬＥＤ１９の光出射部に向かい合わせる。【００１０】
導光板１３の周縁数箇所には爪が形成される。その配置は図４に示す通りであり、左右の長辺に爪が２個ずつ形成されている。各長辺において、一方の爪２３ａは光入射部２１の存在する短辺の間際に形成され、他方の爪２３ｂは光入射部２２の存在しない短辺の間際に形成される。爪２３ａ、２３ｂはシャーシ１１の開口部２０の縁に形成された凹部２４ａ、２４ｂに係合する。このように爪２３ａ、２３ｂが凹部２４ａ、２４ｂに係合することにより、導光板１３はシャーシ１１に対し正確に位置決めされ、また開口部２０を下方へ突き抜けることなくシャーシ１１に保持される。【００１１】
拡散シート１４、第１のレンズシート１５、及び第２のレンズシート１６の大きさは導光板１３とほぼ同じであり、導光板１３がシャーシ１１の開口部２０内に保持された後、導光板１３に重ねて載置される。一番上に来る第２のレンズシート１６は、その上面の高さが、立ち上がり壁２１を除くシャーシ１１の上面の高さとほぼ同じになる。【００１２】
導光板１３、拡散シート１４、第１のレンズシート１５、及び第２のレンズシート１６を積み上げた後、枠状の第１の遮光両面テープ１７により液晶パネル１０をシャーシ１１に貼り付ける。これにより、導光板１３から第２のレンズシート１６までの構成要素はシャーシ１１から上方に抜け出すことができなくなり、シャーシ１１に固定されたことになる。この時立ち上がり壁２１は、シャーシ１１に載置される液晶パネル１０の位置決めの役割を果たす。【００１３】
反射板１２は第２の遮光両面テープ１８でシャーシ１１の下面に固定する。反射板１２の取付工程は、シャーシ１１の上面側に配置される構成要素の取付工程の前であってもよく、後であってもよい。【００１４】
図４において、二点鎖線で囲んだ領域Ａが液晶パネル１０の表示領域である。２個の光源ＬＥＤ１９を点灯すると、光入射部２２から入った光は導光板１３全体に拡散する。前述した光を方向転換させるための処理により、導光板１３の出射面全体から光が出射し、拡散シート１４、第１のレンズシート１５、及び第２のレンズシート１６を通じ、液晶パネル１０を背面側から照らす。【００１５】
上記構成の液晶表示装置１には次のような問題があった。すなわち、光入射部２２から入った光の一部が、光入射部２２に近い箇所に配置された爪２３ａを直射するということである。爪２３ａに入射した光は、図５または図６のように爪２３ａのコーナー部で反射し、強い反射光が表示領域Ａに洩れる。このため、表示領域Ａの端の方が一部分だけ明るくなって液晶パネル１０の明るさの均一性が損なわれ、液晶パネル１０の表示品位が低下する。【００１６】
本発明は上記の問題に鑑みなされたものであり、その目的とするところは、導光板に形成した爪が液晶パネルの表示品位の低下をもたらさないようにすることにある。
【課題を解決するための手段】
【００１７】
上記目的を達成するために本発明は、一辺に光入射部が形成されているバックライト用の導光板を液晶パネルの背面側に配置する液晶表示装置において、前記導光板はシャーシに保持されるものであって、周縁数箇所には前記シャーシに係合する爪が形成されており、前記爪の中で前記光入射部に近い箇所に位置するものは、入射光の直射を回避する位置に配置されていることを特徴としている。【００１８】
この構成によると、光入射部からの入射光が爪を直射せず、爪には導光板全体に拡散した光の一部が入射するのみなので、爪の箇所で強い反射光が発生し、それが液晶パネルの表示領域に洩れるということがない。【００１９】
また本発明は、上記構成の液晶表示装置において、前記光入射部に近い箇所に位置する爪は、前記液晶パネルを前記シャーシに固定する遮光両面テープに重なる位置に配置されていることを特徴としている。【００２０】
この構成によると、爪の内部でいくらかの光反射が生じたとしても、それは遮光両面テープで覆い隠され、液晶パネルの表示品位に影響を与えない。
【発明の効果】
【００２１】
本発明によると、導光板に形成した爪を光入射部からの入射光が直射しないので、爪の箇所で発生した強い反射光が液晶パネルの表示領域に洩れるということがなく、表示品位が損なわれない。
【図面の簡単な説明】
【００２２】
【図１】本発明に係る液晶表示装置の構成要素の分解斜視図
【図２】図１の液晶表示装置のシャーシに導光板を取り付けた状態の平面図
【図３】従来の液晶表示装置の構成要素の分解斜視図
【図４】図３の液晶表示装置のシャーシに導光板を取り付けた状態の平面図
【図５】図４の部分拡大図
【図６】同じく図４の部分拡大図にして、図５と異なる状態を示すもの
【符号の説明】
【００２３】
１    液晶表示装置
１０  液晶パネル
１１  シャーシ
１２  反射板
１３  導光板
１４  拡散シート
１５  第１のレンズシート
１６  第２のレンズシート
１７  第１の遮光両面テープ
１８  第２の遮光両面テープ
１９  光源ＬＥＤ
２２  光入射部
２３ａ、２３ｂ  爪
２４ａ、２４ｂ  凹部
【発明を実施するための最良の形態】
【００２４】
本発明の一実施形態を図１及び図２に示す。この実施形態を説明するにあたり、図３から図６の従来構造と共通する構成要素には図３から図６で用いたのと同じ符号を付し、説明は省略する。【００２５】
本発明が従来構造と異なるのは、光入射部２２に近い箇所に位置する爪２３ａの位置である。爪２３ａは、光入射部２２から入ってくる入射光の直射を回避する位置に配置される。実施形態では、光入射部２２に末広がり形状を与える２個の斜辺のうち、導光板１３の長辺に隣接する側の斜辺のほぼ中央の位置を爪２３ａの配置箇所として選択する。凹部２４ａの位置も爪２３ａに合わせて変える。【００２６】
爪２３ａが上記の位置にあるため、光入射部２２から入ってくる入射光は爪２３ａを直射しない。このため、爪２３ａの内部で、特にコーナー部において強い反射光が生じ、それが液晶パネル１０の表示領域Ａに洩れて液晶パネル１０の表示品位が低下するということがない。また、爪２３ａの内部でいくらかの光反射が生じたとしても、それは遮光両面テープ１７で覆い隠され、液晶パネル１０の表示品位に影響を与えることはない。【００２７】
以上本発明の実施形態につき説明したが、発明の主旨を逸脱しない範囲でさらに種々の変更を加えて実施することができる。
【産業上の利用可能性】
【００２８】
本発明は比較的小型のバックライト付き液晶表示装置に広く利用可能である。
【図１】
2009118960.tif 000003
【図２】
2009118960.tif 000004
【図３】
2009118960.tif 000005
【図４】
2009118960.tif 000006
【図５】
2009118960.tif 000007
【図６】
2009118960.tif 000008
【国際調査報告】
2009118960.tif 000009
2009118960.tif 000010